(57)【特許請求の範囲】
【請求項１】
制御端子（２１ａ）に入力される信号の電圧に応じた周波数の信号を出力する電圧制御発振器（２１）と、
前記電圧制御発振器の出力信号の中心周波数を設定するための直流の周波数設定信号を出力する中心周波数設定部（２２）と、
前記電圧制御発振器の出力信号の周波数を変調するための交流の変調信号を出力する変調信号発生部（２３）とを有し、
前記中心周波数設定部から出力される周波数設定信号と前記変調信号発生部から出力される変調信号とを加算した信号を前記電圧制御発振器の制御端子に入力して、該電圧制御発振器から前記変調信号に応じて位相または周波数が周期変動する信号を出力するジッタ発生器において、
前記中心周波数設定部をその出力端から見たインピーダンスが、前記変調信号の周波数を含む周波数の交流信号に対して特定値となるように設定し、
前記変調信号発生部をその出力端からみたインピーダンスが、前記変調信号の周波数を含む周波数の交流信号に対して前記特定値となり、且つ直流を阻止するように設定し、
前記電圧制御発振器の制御端子の前記変調信号の周波数を含む周波数の交流信号および直流信号に対する入力インピーダンスが、前記特定値に対して十分大きくなるように設定するとともに、
前記中心周波数設定部の出力端と前記変調信号発生部の出力端とを前記電圧制御発振器の制御端子に直結し、
さらに、前記中心周波数設定部の出力端から前記電圧制御発振器の制御端子までの間、または前記変調信号発生部の出力端から前記電圧制御発振器の制御端子までの間の少なくとも一方を、前記特定値に等しい特性インピーダンスの伝送線路（２５ａ、２５ｂ）を介して接続したことを特徴とするジッタ発生器。
【請求項２】
前記中心周波数設定部は、前記特定値と等しい抵抗値の抵抗（２２ｄ）を介して前記周波数設定信号を出力するように構成され、
前記変調信号発生部は、前記変調信号を通過させ直流を阻止するコンデンサ（２３ｃ）と、該コンデンサに直列接続され前記特定値と等しい抵抗値の抵抗（２３ｄ）とを介して前記変調信号を出力するように構成されていることを特徴とする請求項１記載のジッタ発生器。
【請求項３】
前記中心周波数設定部は、
前記電圧制御発振器の出力信号を受けて、その信号の周波数を低い周波数に変換する周波数変換器（２２ａ、２２ｆ、２２ｇ）と、
前記周波数変換器の出力信号と、所定の基準信号の位相を比較する位相比較器（２２ｂ）と、
前記位相比較器の出力信号を受けてその直流成分を抽出するフィルタ部（２２ｃ）とを有し、
前記フィルタ部で抽出された直流成分を前記周波数設定信号として前記電圧制御発振器の制御端子に与えて、前記電圧制御発振器の出力信号の中心周波数を一定値に保持するように制御することを特徴とする請求項１または請求項２記載のジッタ発生器。
【発明の詳細な説明】
【０００１】
【発明の属する技術分野】
本発明は、電圧制御発振器（以下、ＶＣＯと記す）の制御端子に印加する電圧を周期変化させてジッタ（位相変動または周波数変動）のある信号を発生させるジッタ発生器において、高速なジッタを与えるための技術に関する。
【０００２】
【従来の技術】
ディジタル信号を伝送するシステムでは、ディジタル信号のジッタが大きくなると、データを正常に伝送できなくなる。
【０００３】
このため、これらの伝送システムがどのくらいのジッタに耐えられるかを予め測定する必要がある。
【０００４】
このような測定の際には、ジッタ発生器から位相が周期的に変調されたクロック信号を発生し、そのクロック信号あるいはそのクロック信号に同期して発生させた特定パターンのデータ信号を測定対象に与えている。
【０００５】
図１０は、このような目的で用いられている従来のジッタ発生器１０の構成を示している。
【０００６】
このジッタ発生器１０は、ＶＣＯ１１、中心周波数設定部１２、変調信号発生部１３および加算器１４によって構成されている。
【０００７】
ＶＣＯ１１は、制御端子１１ａに入力される信号の電圧に応じた周波数の信号を発振出力する。
【０００８】
中心周波数設定部１２は、ＶＣＯ１１の出力信号Ｊの中心周波数を設定するための直流の周波数設定信号Ｖｄを出力する。
【０００９】
なお、この中心周波数設定部１２は、ＶＣＯ１１の出力信号Ｊの中心周波数を安定化するために、ＰＬＬ構成、即ち、ＶＣＯ１１の出力信号を分周器等で低い周波数に変換し、その変換出力と基準信号との位相差を位相比較器で検出し、その位相差信号からＬＰＦ（低域通過フィルタ）によって抽出した直流信号成分を、ＶＣＯ１１の出力信号の中心周波数を所定値にロックさせるための周波数設定信号Ｖｄとして出力する構成が多く用いられている。
【００１０】
また、変調信号発生部１３は、ＶＣＯ１１の出力信号の周波数を変調するための交流の変調信号Ｖｍを出力する。
【００１１】
加算器１４は、演算増幅器によって構成され、中心周波数設定部１２から出力される周波数設定信号Ｖｄと変調信号発生部１３から出力される変調信号Ｖｍとをアナログ加算し、その加算信号をＶＣＯ１１の制御端子１１ａに入力して、周波数設定信号Ｖｄの電圧に対応した周波数を中心周波数とし、変調信号Ｖｍに応じて位相（周波数）が周期的に変化する信号（ジッタ信号）Ｊを、ＶＣＯ１１から出力させる。
【００１２】
なお、上記したようにＰＬＬ構成の中心周波数設定部１２を用いた従来のジッタ発生器は、特許文献１に記載されている。
【００１３】
【特許文献１】
特開２０００−２３０９５３  段落番号００２４〜００２６、図２
【００１４】
【発明が解決しようとする課題】
ところが、ジッタ発生器に要求にされる出力信号の周波数は、データ伝送システムの伝送速度の高速化にともなって年々高くなっており、上記構成の従来のジッタ発生器１０ではその高速化に対応できなくなっている。
【００１５】
即ち、従来では約１０Ｇｂｐｓのビットレートで約８０ＭＨｚの変調信号によって位相変調していたが、近年では、その４倍の約４０Ｇｂｐｓのビットレートで３２０ＭＨｚの変調信号による変調が要求されている。
【００１６】
ここで、ＶＣＯ１１の発振周波数は４０ＧＨｚにも対応でき、また逓倍技術を用いればさらに高い周波数にも対応することが可能である。
【００１７】
ところが、前記したように、演算増幅器を用いた加算器１４で３２０ＭＨｚに対応できるものは少なくまた高価であり、今後さらに高速化された場合に対応できなくなる恐れがある。
【００１８】
本発明は、この問題を解決して、高速なジッタを与えることができるジッタ発生器を提供することを目的としている。
【００１９】
【課題を解決するための手段】
前記目的を達成するために、本発明の請求項１のジッタ発生器は、
制御端子（２１ａ）に入力される信号の電圧に応じた周波数の信号を出力する電圧制御発振器（２１）と、
前記電圧制御発振器の出力信号の中心周波数を設定するための直流の周波数設定信号を出力する中心周波数設定部（２２）と、
前記電圧制御発振器の出力信号の周波数を変調するための交流の変調信号を出力する変調信号発生部（２３）とを有し、
前記中心周波数設定部から出力される周波数設定信号と前記変調信号発生部から出力される変調信号とを加算した信号を前記電圧制御発振器の制御端子に入力して、該電圧制御発振器から前記変調信号に応じて位相または周波数が周期変動する信号を出力するジッタ発生器において、
前記中心周波数設定部をその出力端から見たインピーダンスが、前記変調信号の周波数を含む周波数の交流信号に対して特定値となるように設定し、
前記変調信号発生部をその出力端からみたインピーダンスが、前記変調信号の周波数を含む周波数の交流信号に対して前記特定値となり、且つ直流を阻止するように設定し、
前記電圧制御発振器の制御端子の前記変調信号の周波数を含む周波数の交流信号および直流信号に対する入力インピーダンスが、前記特定値に対して十分大きくなるように設定するとともに、
前記中心周波数設定部の出力端と前記変調信号発生部の出力端とを前記電圧制御発振器の制御端子に直結し、
さらに、前記中心周波数設定部の出力端から前記電圧制御発振器の制御端子までの間、または前記変調信号発生部の出力端から前記電圧制御発振器の制御端子までの間の少なくとも一方を、前記特定値に等しい特性インピーダンスの伝送線路（２５ａ、２５ｂ）を介して接続したことを特徴としている。
【００２０】
また、本発明の請求項２のジッタ発生器は、請求項１のジッタ発生器において、
前記中心周波数設定部は、前記特定値と等しい抵抗値の抵抗（２２ｄ）を介して前記周波数設定信号を出力するように構成され、
前記変調信号発生部は、前記変調信号を通過させ直流を阻止するコンデンサ（２３ｃ）と、該コンデンサに直列接続され前記特定値と等しい抵抗値の抵抗（２３ｄ）とを介して前記変調信号を出力するように構成されていることを特徴としている。
【００２１】
また、本発明の請求項３のジッタ発生器は、請求項１または請求項２のジッタ発生器において、
前記中心周波数設定部は、
前記電圧制御発振器の出力信号を受けて、その信号の周波数を低い周波数に変換する周波数変換器（２２ａ、２２ｆ、２２ｇ）と、
前記周波数変換器の出力信号と、所定の基準信号の位相を比較する位相比較器（２２ｂ）と、
前記位相比較器の出力信号を受けてその直流成分を抽出するフィルタ部（２２ｃ）とを有し、
前記フィルタ部で抽出された直流成分を前記周波数設定信号として前記電圧制御発振器の制御端子に与えて、前記電圧制御発振器の出力信号の中心周波数を一定値に保持するように制御することを特徴としている。
【００２３】
【発明の実施の形態】
以下、図面に基づいて本発明の実施の形態を説明する。
図１は、本発明を適用したジッタ発生器２０の構成を示している。
【００２４】
図１に示しているように、このジッタ発生器２０は、ＶＣＯ２１、ＰＬＬ構成の中心周波数設定部２２、変調信号発生部２３を有している。
【００２５】
ＶＣＯ２１は、所定の周波数帯（例えば４０ＧＨｚ帯）で制御端子２１ａに入力される信号の電圧に応じて周波数が変化する信号（ジッタ信号）Ｊを発振出力するものである。なお、信号の周波数の変化は、基準位相に対する位相変化を伴うものであるから、周波数が変化するということは位相が変化することを含んでいる。
【００２６】
このＶＣＯ２１は、図２に示すように、内部の発振回路の一部を構成する可変容量ダイオード２１ｂとコンデンサ２１ｃとの接続点に制御端子２１ａから入力される電圧を抵抗値が大きい抵抗２１ｄ（あるいはインピーダンスが高いチョークコイル）を介して逆バイアスに印加して発振周波数を可変する構造であるため、後述する変調信号Ｖｍの周波数を含む周波数の交流信号および直流信号に対する制御端子２１ａの入力インピーダンスは、後述する特定値Ｚｒに比べて十分に高く（理論上はともに無限大）なっている。
【００２７】
なお、このＶＣＯ２１は、独立したシールドケース内に形成され、その外表部に同軸コネクタ型の複数の端子（制御端子２１ａを含む）が設けられたユニット構造のものでもよいし、他の回路が実装されているプリント基板上に回路素子を実装して形成されたものであってもよい。
【００２８】
中心周波数設定部２２は、ＶＣＯ２１の出力信号Ｊの中心周波数を設定するための直流の周波数設定信号Ｖｄを出力するものであり、図１にその構成例を示しているように、分周器２２ａ、位相比較器２２ｂ、フィルタ部２２ｃ、整合用の抵抗２２ｄによって構成されている。
【００２９】
分周器２２ａは、ＶＣＯ２１の出力信号Ｊを低い周波数に変換するための周波数変換器であり、ＶＣＯ２１の出力信号ＪをＮ（整数）分周して位相比較器２２ｂに出力する。
【００３０】
位相比較器２２ｂは位相周波数比較型のものであり、分周器２２ａの出力信号と所定周波数の基準信号Ｒとの位相比較を行ない、その位相差に対応してその平均電圧が変化する信号をフィルタ部２２ｃに出力する。
【００３１】
フィルタ部２２ｃは、位相比較器２２ｂの出力信号から基準信号Ｒの周波数成分を除去するキャリアフィルタと演算増幅器を用いたアクティブ型のＬＰＦ（ラグリード型）とで構成され、分周器２２ａの出力信号の中心周波数と基準信号Ｒの周波数と差により生じる直流成分信号を抽出し、これを周波数設定信号Ｖｄとして抵抗２２ｄを介して出力する。
【００３２】
この周波数設定信号ＶｄをＶＣＯ２１の制御端子２１ａに与えることにより、ＶＣＯ２１の出力信号Ｊの中心周波数が基準信号Ｒの周波数のＮ倍に保持される。
【００３３】
なお、抵抗２２ｄは、中心周波数設定部２２をその出力端からみたインピーダンスが、直流および変調信号Ｖｍの周波数を含む周波数の交流信号に対して特定値Ｚｒ（例えば５０Ω）となるように設定するためのものであり、前記したように、フィルタ部２２ｃとして演算増幅器によるアクティブ型ＬＰＦを用いた場合、フィルタ部２２ｃの出力インピーダンスは直流および交流に対して非常に低い。したがって、抵抗２２ｄの抵抗値は特定値Ｚｒと等しい。
【００３４】
この構成の中心周波数設定部２２の場合、ＶＣＯ２１の出力信号Ｊの中心周波数は、基準信号Ｒの周波数を分周器２２ａの分周比Ｎ倍した値となり、基準信号Ｒの周波数や分周器２２ａの分周比Ｎを選択することで、ＶＣＯ２１の出力信号Ｊの中心周波数を、ＶＣＯ２１の周波数可変帯域内で任意に設定することができ、これを安定に保持することができる。
【００３５】
また、変調信号発生部２３は、ＶＣＯ２１の出力信号Ｊの周波数を周期的に変調するための交流（例えば３２０ＭＨｚ）の変調信号Ｖｍを出力する。
【００３６】
この変調信号発生部２３は、例えば図１に示しているように、所定周波数（例えば３２０ＭＨｚ）で所定振幅の正弦波信号を発振出力する発振器２３ａ、発振器２３ａの出力信号を増幅する増幅器２３ｂ、増幅器２３ｂの出力に直列に接続され、直流分を阻止し変調信号Ｖｍを損失なく通過させるコンデンサ２３ｃ、コンデンサ２３ｃに直列に接続され、変調信号発生部２３をその出力端からみたインピーダンスが、変調信号Ｖｍの周波数を含む周波数の交流信号に対して前記特定値Ｚｒとなるように設定するための整合用の抵抗２３ｄとによって構成されている。
【００３７】
なお、増幅器２３ｂ自体の出力インピーダンスが特定値Ｚｒに等しい場合には、この抵抗２３ｄを省略することができる。
【００３８】
中心周波数設定部２２の出力端とＶＣＯ２１の制御端子２１ａとの間および変調信号発生部２３の出力端とＶＣＯ２１の制御端子２１ａとの間は、特定値Ｚｒと等しい特性インピーダンスの伝送線路２５ａ、２５ｂを介して直結されている。この伝送線路２５ａ、２５ｂは、ＶＣＯ２１の制御端子２１ａの構造に応じたものを用いる。
【００３９】
例えば、ＶＣＯ２１が前記したように独立したシールドケースを有し、制御端子２１ａが同軸コネクタで構成されている場合には、その制御端子２１ａに２分岐コネクタを接続し、その２分岐コネクタの２つの分岐端子部と中心周波数設定部２２の出力端および変調信号発生部２３の出力端との間を接続する伝送線路２５ａ、２５ｂとして特性インピーダンスＺｒの同軸ケーブルを用いる。
【００４０】
また、ＶＣＯ２１が他の回路と共通のプリント基板上に実装されていて、制御端子２１ａが前記した抵抗２１ｄ（あるいはチョークコイル）の一端部である場合には、その一端部と中心周波数設定部２２の出力端および変調信号発生部２３の出力端の間を接続する伝送線路２５ａ、２５ｂとして、基板上にパターン形成した特性インピーダンスＺｒのストリップ線路（例えばマイクロストリップ線路）を用いる。
【００４１】
このように、この実施形態のジッタ発生器２０では、中心周波数設定部２２をその出力端から見たインピーダンスが、変調信号Ｖｍの周波数を含む周波数の交流信号に対して特定値Ｚｒとなるように設定し、変調信号発生部２３をその出力端からみたインピーダンスが、変調信号Ｖｍの周波数を含む周波数の交流信号に対して特定値Ｚｒとなり、且つ直流を阻止するように設定し、ＶＣＯ２１の制御端子２１ａの変調信号Ｖｍの周波数を含む周波数の交流信号および直流信号に対する入力インピーダンスが、特定値Ｚｒに対して十分大きくなるように設定するとともに、中心周波数設定部２２の出力端と変調信号発生部２３の出力端とをＶＣＯ２１の制御端子２１ａに直結しているので、従来のような演算増幅器による加算器を用いることなく、中心周波数設定部２２から出力される周波数設定信号Ｖｄと変調信号発生部２３から出力される変調信号Ｖｍとの加算信号を、ＶＣＯ２１の制御端子２１ａに与えることができ、高速なジッタを実現できる。
【００４２】
即ち、中心周波数設定部２２の出力端は、伝送線路２５ａを介してＶＣＯ２１の制御端子２１ａに接続され、さらに伝送線路２５ｂを介して変調信号発生部２３の出力端に接続されているが、前記したように、ＶＣＯ２１の制御端子２１ａの直流に対する入力インピーダンスはほぼ無限大で、しかも、変調信号発生部２３の出力端から内部への直流の流入はコンデンサ２３ｃによって規制されているので、中心周波数設定部２２から出力される直流の周波数設定信号Ｖｄは電圧降下を受けることなく、ＶＣＯ２１の制御端子２１ａおよび変調信号発生部２３の出力端に印加される。
【００４３】
一方、変調信号発生部２３から出力される交流の変調信号Ｖｍは、特性インピーダンスＺｒの伝送線路２５ｂ、２５ａを経由して中心周波数設定部２２の出力端で特定値Ｚｒの抵抗２２ｄによって整合した状態で終端され、その間のラインには、前記したように周波数設定信号Ｖｄが印加されているから、制御端子２１ａには、図３に示すように、直流の周波数設定信号Ｖｄと、０ボルトを中心として正弦的に変化する変調信号Ｖｍとが加算された信号Ｖｄ＋Ｖｍが入力されることになる。しかも、上記したように変調信号Ｖｍは整合状態にあるので、反射等による電圧の乱れは生じず、制御端子２１ａに正確に印加される。
【００４４】
したがって、ＶＣＯ２１は、この制御端子２１ａに印加されている信号のうちの周波数設定信号Ｖｄに対応した中心周波数で、変調信号Ｖｍに対応して位相がまたは周波数が周期変化する信号Ｊを出力する。
【００４５】
また、このように変調信号発生部２３の出力端を伝送線路２５ｂを介してＶＣＯ２１の制御端子２１ａに直結しているので、変調信号Ｖｍの周波数に制限がなくなり、ＶＣＯ２１の可変周波数帯域の上限まで変調信号の周波数を高くすることができる。
【００４６】
また、中心周波数設定部２２の出力端からＶＣＯ２１の制御端子２１ａまでの間および変調信号発生部２３の出力端からＶＣＯ２１の制御端子２１ａまでの間を、特定値Ｚｒに等しい特性インピーダンスの伝送線路２５ａ、２５ｂを介して接続したものでは、ＶＣＯ２１に対して、中心周波数設定部２２および変調信号発生部２３を離れた位置に配置することができ、ジッタ発生器としての各回路の配置の自由度が大きくなり、設計が容易となる。
【００４７】
なお、この実施形態のジッタ発生器２０では、ＰＬＬ構成の中心周波数設定部２２によってＶＣＯ２１の出力信号Ｊの中心周波数を設定するとともにその周波数を安定化しているが、ＶＣＯ２１自体の中心周波数の安定度が高い場合には、上記のＰＬＬ構成ではなく、図４に示すように、単に電圧可変型の直流電源２２ｅの出力端子に抵抗２２ｄを接続したものを中心周波数設定部２２として用いることもできる。
【００４８】
また、前記した中心周波数設定部２２では、ＶＣＯ２１の出力信号Ｊの周波数を低い周波数に変換するための周波数変換器として分周器２２ａを用いていたが、周波数変換器として、図５に示しているように、ＶＣＯ２１の出力信号Ｊと所定周波数の局発信号Ｌとをミキサ２２ｆに入力して、そのミキサ２２ｆの出力に現れる両信号の和の周波数成分と差の周波数成分のうち、差の周波数成分をフィルタ２２ｇで抽出する構成を用いてもよく、これを複数段用いてもよい。
【００４９】
また、分周と信号ミキシングとを併用して、例えば図６に示すように、フィルタ２２ｇの出力信号を分周器２２ａで分周したり、図示しないが、逆に分周器２２ａの出力をミキサ２２ｆとフィルタ２２ｇとによってさらに低い周波数に変換してもよい。
【００５０】
また、上記実施形態では、中心周波数設定部２２の出力端とＶＣＯ２１の制御端子２１ａの間および変調信号発生部２３の出力端とＶＣＯ２１の制御端子２１ａの間を、特定値Ｚｒに等しい特性インピーダンスの伝送線路２５ａ、２５ｂを介して直結していたが、伝送線路２５ａ、２５ｂを介さずに図７に示すように、、中心周波数設定部２２の出力端とＶＣＯ２１の制御端子２１ａの間および変調信号発生部２３の出力端とＶＣＯ２１の制御端子２１ａの間を最短距離で直結してもよい。
【００５１】
また、図８のように、中心周波数設定部２２の出力端とＶＣＯ２１の制御端子２１ａの間を伝送線路２５ａを介して接続し、変調信号発生部２３の出力端とＶＣＯ２１の制御端子２１ａの間を伝送線路を介さずに最短距離で直結してもよく、反対に、図９のように、中心周波数設定部２２の出力端とＶＣＯ２１の制御端子２１ａの間を伝送線路を介さずに最短距離で直結し、変調信号発生部２３の出力端とＶＣＯ２１の制御端子２１ａの間を伝送線路２５ｂを介して接続してもよい。
【００５２】
このように、中心周波数設定部２２の出力端からＶＣＯ２１の制御端子２１ａまでの間または変調信号発生部２３の出力端からＶＣＯ２１の制御端子２１ａまでの間のいずれか一方を、特定値Ｚｒに等しい特性インピーダンスの伝送線路を介して接続した場合でも、ＶＣＯ２１に対して、中心周波数設定部２２または変調信号発生部２３の一方を離れた位置に配置することができ、ジッタ発生器としての各回路の配置の自由度が大きくなり、設計が容易となる。
【００５３】
【発明の効果】
以上説明したように、本発明のジッタ発生器は、中心周波数設定部をその出力端から見たインピーダンスが、変調信号の周波数を含む周波数の交流信号に対して特定値となるように設定し、変調信号発生部をその出力端からみたインピーダンスが、変調信号の周波数を含む周波数の交流信号に対して特定値となり、且つ直流を阻止するように設定し、電圧制御発振器の制御端子の変調信号の周波数を含む周波数の交流信号および直流信号に対する入力インピーダンスが、特定値に対して十分大きくなるように設定するとともに、中心周波数設定部の出力端と変調信号発生部の出力端とを電圧制御発振器の制御端子に直結している。
【００５４】
このため、従来のような演算増幅器による加算器を用いることなく、中心周波数設定部から出力される周波数設定信号と変調信号発生部から出力される変調信号との加算信号を、電圧制御発振器の制御端子に与えることができ、高速なジッタを実現できる。
【００５５】
また、中心周波数設定部の出力端から電圧制御発振器の制御端子までの間、または変調信号発生部の出力端から電圧制御発振器の制御端子までの間の少なくとも一方を、特定値に等しい特性インピーダンスの伝送線路を介して接続したものでは、電圧制御発振器に対して、中心周波数設定部または変調信号発生部の少なくとも一方を離れた位置に配置することができ、ジッタ発生器としての各回路の配置の自由度が大きくなり、設計が容易となる。
【図面の簡単な説明】
【図１】本発明の実施形態のジッタ発生器の構成を示す図
【図２】実施形態の要部の回路を示す図
【図３】ＶＣＯ２１の制御端子２１ａに印加される電圧を示す図
【図４】要部の変形例を示す図
【図５】要部の変形例を示す図
【図６】要部の変形例を示す図
【図７】要部の変形例を示す図
【図８】要部の変形例を示す図
【図９】要部の変形例を示す図
【図１０】従来のジッタ発生器の構成を示す図
【符号の説明】
２０……ジッタ発生器、２１……ＶＣＯ（電圧制御発振器）、２１ａ……制御端子、２２……中心周波数設定部、２２ａ……分周器、２２ｂ……位相比較器、２２ｃ……フィルタ部、２２ｄ……抵抗、２２ｅ……直流電源、２２ｆ……ミキサ、２２ｇ……フィルタ、２３……変調信号発生部、２３ａ……発振器、２３ｂ……増幅器、２３ｃ……コンデンサ、２３ｄ……抵抗、２５ａ、２５ｂ……伝送線路
【図１】
0003673515.tif 000002
【図２】
0003673515.tif 000003
【図３】
0003673515.tif 000004
【図４】
0003673515.tif 000005
【図５】
0003673515.tif 000006
【図６】
0003673515.tif 000007
【図７】
0003673515.tif 000008
【図８】
0003673515.tif 000009
【図９】
0003673515.tif 000010
【図１０】
0003673515.tif 000011